(57)【要約】      （修正有）【課題】可視領域の光を十分に遮断し、近赤外領域の光を十分に透過することができる硬化膜を形成可能な感光性組成物を提供する。【解決手段】着色剤、エチレン性不飽和基を有する化合物、光重合開始剤及び溶剤を含有する感光性組成物であって、着色剤は、次の；（Ａ１）式（１）に示す着色剤全着色剤中４０〜８０質量％、（Ａ２）青色着色剤及び緑色着色剤から選ばれる１種以上の着色剤全着色剤中１０〜４０質量％、並びに、（Ａ３）黄色着色剤及び赤色着色剤から選ばれる１種以上の着色剤全着色剤中１０〜４０質量％、を含有する。2014130332.tif 000012（式（１）中、Ｒ1及びＲ2は、それぞれ独立に、水素原子、水酸基、メトキシ基又はアセチル基を示す。Ｒ3及びＲ4は、それぞれ独立に、フェニレン基、又は直接結合を示す。Ｒ5及びＲ6は、それぞれ独立に、直接結合、又は炭素数１〜１０のアルカンジイル基を示す。）【選択図】なし【特許請求の範囲】
【請求項１】
着色剤、エチレン性不飽和基を有する化合物、光重合開始剤及び溶剤を含有する感光性組成物であって、
前記着色剤は、次の（Ａ１）〜（Ａ３）；
（Ａ１）下記式（１）に示す着色剤    全着色剤中に４０〜８０質量％、
（Ａ２）青色着色剤及び緑色着色剤から選ばれる１種以上の着色剤    全着色剤中に１０〜４０質量％、並びに、
（Ａ３）黄色着色剤及び赤色着色剤から選ばれる１種以上の着色剤    全着色剤中に１０〜４０質量％、
を含有するものである、感光性組成物。
【化１】
2014130332.tif 000009
（式（１）中、
Ｒ1及びＲ2は、それぞれ独立に、水素原子、水酸基、メトキシ基又はアセチル基を示す。
Ｒ3及びＲ4は、それぞれ独立に、フェニレン基、又は直接結合を示す。
Ｒ5及びＲ6は、それぞれ独立に、直接結合、又は炭素数１〜１０のアルカンジイル基を示す。但し、Ｒ3及びＲ5が同時に直接結合であることはなく、Ｒ4及びＲ6が同時に直接結合であることはない。）
【請求項２】
前記着色剤（Ａ２）が青色着色剤である、請求項１記載の感光性組成物。
【請求項３】
前記着色剤（Ａ３）が黄色着色剤である、請求項１又は２記載の感光性組成物。
【請求項４】
前記青色着色剤が銅フタロシアニン顔料である、請求項１〜３のいずれか一項に記載の感光性組成物。
【請求項５】
黄色着色剤がイソインドリン系顔料である、請求項１〜４のいずれか一項に記載の感光性組成物。
【請求項６】
着色剤の含有割合が感光性組成物の固形分中に６０質量％以下である、請求項１〜５のいずれか一項に記載の感光性組成物。
【請求項７】
着色剤を含有する硬化膜を有する光フィルターであって、
前記着色剤は、次の（Ａ１）〜（Ａ３）；
（Ａ１）下記式（１）に示す着色剤    全着色剤中に４０〜８０質量％、
（Ａ２）青色着色剤及び緑色着色剤から選ばれる１種以上の着色剤    全着色剤中に１０〜４０質量％、並びに、
（Ａ３）黄色着色剤及び赤色着色剤から選ばれる１種以上の着色剤    全着色剤中に１０〜４０質量％、
を含有するものである、光フィルター。
【化２】
2014130332.tif 000010
（式（１）中、
Ｒ1及びＲ2は、それぞれ独立に、水素原子、水酸基、メトキシ基又はアセチル基を示す。
Ｒ3及びＲ4は、それぞれ独立に、フェニレン基、又は直接結合を示す。
Ｒ5及びＲ6は、それぞれ独立に、直接結合、又は炭素数１〜１０のアルカンジイル基を示す。但し、Ｒ3及びＲ5が同時に直接結合であることはなく、Ｒ4及びＲ6が同時に直接結合であることはない。）
【請求項８】
請求項７記載の光学フィルターを備える光センサー。
【請求項９】
着色剤及び溶剤を含有する着色剤分散液であって、
前記着色剤は、次の（Ａ１）〜（Ａ３）；
（Ａ１）下記式（１）に示す着色剤    全着色剤中に４０〜８０質量％、
（Ａ２）青色着色剤及び緑色着色剤から選ばれる１種以上の着色剤    全着色剤中に１０〜４０質量％、並びに、
（Ａ３）黄色着色剤及び赤色着色剤から選ばれる１種以上の着色剤    全着色剤中に１０〜４０質量％、
を含有するものである、着色剤分散液。
【化３】
2014130332.tif 000011
（式（１）中、
Ｒ1及びＲ2は、それぞれ独立に、水素原子、水酸基、メトキシ基又はアセチル基を示す。
Ｒ3及びＲ4は、それぞれ独立に、フェニレン基、又は直接結合を示す。
Ｒ5及びＲ6は、それぞれ独立に、直接結合、又は炭素数１〜１０のアルカンジイル基を示す。但し、Ｒ3及びＲ5が同時に直接結合であることはなく、Ｒ4及びＲ6が同時に直接結合であることはない。）
【発明の詳細な説明】
【技術分野】
【０００１】
本発明は、感光性組成物、着色剤分散液、光フィルター及び光センサーに関する。
【背景技術】
【０００２】
赤外線を利用する光センサーとしては、テレビのリモコンや自動ドアなどの遠隔制御装置や３次元形状測定装置などが知られている。また、最近では、自動車の自動ブレーキ技術に用いられる車間距離検出センサーや、米マイクロソフト社の「Ｋｉｎｅｃｔ（登録商標）」などのジェスチャー入力コントローラなどに用いられる距離画像センサーなど、様々な分野で用いられている。
【０００３】
通常、これら光センサーの信号源や受光素子には、可視光線によるノイズを除く目的や意匠的な意図で、可視光線を遮光し赤外線を透過する光フィルターが設けられている。その光フィルターとしては、例えば、青色着色剤、黄色着色剤及び赤色着色剤を含有する組成物から得られる光フィルターなどが知られている（特許文献１）
【先行技術文献】
【特許文献】
【０００４】
【特許文献１】特開平０３−０４３４８４号公報
【発明の概要】
【発明が解決しようとする課題】
【０００５】
光センサーの小型化やモバイル化を実現するには、信号源や受光素子の小型化や軽量化が必要となる。そのため、信号源や受光素子に用いられる光フィルターには、薄膜化と高画素化が求められている。
本発明者らの検討によれば、青色着色剤、黄色着色剤及び赤色着色剤を含有する着色レジストから薄膜の光フィルターを形成すると、高画素化は可能であるが、可視光波長域の遮光性が十分でないことが分かった。また、青色着色剤、黄色着色剤及び赤色着色剤の含有量を増やして、可視光波長域の遮光性を上げるとすると、着色レジスト中に含まれる着色剤の含有割合を相当量増やす必要があり、この場合、着色レジストの解像性が低下し、光フィルターの高画素化が困難となることが判明した。
そこで、本発明の課題は、可視領域の光を十分に遮断し、近赤外領域の光を十分に透過することができる硬化膜を形成可能であり、解像性に優れた感光性組成物及びその原料となる着色剤分散液を提供することにある。本発明はまた、薄膜化しても可視領域の光を十分に遮断し、近赤外領域の光を十分に透過することができる光フィルター、及び当該光フィルターを具備する光センサーを提供することを課題とするものである。
【課題を解決するための手段】
【０００６】
本発明は、着色剤、エチレン性不飽和基を有する化合物、光重合開始剤及び溶剤を含有する感光性組成物であって、
前記着色剤は、次の（Ａ１）〜（Ａ３）；
（Ａ１）下記式（１）に示す着色剤    全着色剤中に４０〜８０質量％、
（Ａ２）青色着色剤及び緑色着色剤から選ばれる１種以上の着色剤    全着色剤中に１０〜４０質量％、並びに、
（Ａ３）黄色着色剤及び赤色着色剤から選ばれる１種以上の着色剤    全着色剤中に１０〜４０質量％、
を含有する感光性組成物を提供するものである。
【０００７】
【化１】
2014130332.tif 000002
【０００８】
（式（１）中、
Ｒ1及びＲ2は、それぞれ独立に、水素原子、水酸基、メトキシ基又はアセチル基を示す。
Ｒ3及びＲ4は、それぞれ独立に、フェニレン基、又は直接結合を示す。
Ｒ5及びＲ6は、それぞれ独立に、直接結合、又は炭素数１〜１０のアルカンジイル基を示す。但し、Ｒ3及びＲ5が同時に直接結合であることはなく、Ｒ4及びＲ6が同時に直接結合であることはない。）
【０００９】
本発明はまた、着色剤及び溶剤を含有する着色剤分散液であって、
前記着色剤は、次の（Ａ１）〜（Ａ３）；
（Ａ１）前記式（１）に示す着色剤    全着色剤中に４０〜８０質量％、
（Ａ２）青色着色剤及び緑色着色剤から選ばれる１種以上の着色剤    全着色剤中に１０〜４０質量％、並びに、
（Ａ３）黄色着色剤及び赤色着色剤から選ばれる１種以上の着色剤    全着色剤中に１０〜４０質量％、
を含有する着色剤分散液を提供するものである。
【００１０】
本発明は更に、着色剤を含有する硬化膜を有する光フィルターであって、
前記着色剤は、次の（Ａ１）〜（Ａ３）；
（Ａ１）前記式（１）に示す着色剤    全着色剤中に４０〜８０質量％、
（Ａ２）青色着色剤及び緑色着色剤から選ばれる１種以上の着色剤    全着色剤中に１０〜４０質量％、並びに、
（Ａ３）黄色着色剤及び赤色着色剤から選ばれる１種以上の着色剤    全着色剤中に１０〜４０質量％、
を含有する光フィルターを提供するものである。
【００１１】
本発明は更にまた、前記光学フィルターを備える光センサーを提供するものである。
【発明の効果】
【００１２】
本発明の感光性組成物によれば、可視領域の光を十分に遮断し、近赤外領域の光を十分に透過することのできる硬化膜を形成可能であり、またそれを用いて形成されたパターンは解像性に優れる。本発明の光フィルターは、薄膜化しても可視領域の光を十分に遮断し、近赤外領域の光を十分に透過することができる。本発明の着色剤分散液は、本発明の感光性組成物に好適に用いられる。本発明の光センサーは、テレビのリモコンや自動ドアなどの遠隔制御装置、自動車の車間距離検出センサーなどの車載用デバイス、ジェスチャー入力コントローラなどに用いられる距離画像センサーなどをはじめとする各種光センサーとして好適に使用することができる。
【発明を実施するための形態】
【００１３】
以下、本発明について詳細に説明する。
感光性組成物
本発明の感光性組成物は、着色剤（以下、「（Ａ）着色剤」ともいう）、エチレン性不飽和基を有する化合物（以下、「（Ｂ）エチレン性不飽和基を有する化合物」ともいう）、光重合開始剤（以下、「（Ｃ）光重合開始剤」ともいう）及び溶剤（以下、「（Ｄ）溶剤」ともいう）を含み、（Ａ）着色剤が、次の（Ａ１）〜（Ａ３）を含有するものである。
（Ａ１）下記式（１）に示す着色剤：全着色剤中に４０〜８０質量％。
（Ａ２）青色着色剤及び緑色着色剤から選ばれる１種以上の着色剤：全着色剤中に１０〜４０質量％。
（Ａ３）黄色着色剤及び赤色着色剤から選ばれる１種以上の着色剤：全着色剤中に１０〜４０質量％。
【００１４】
以下、本発明の感光性組成物の構成成分について説明する。
【００１５】
−（Ａ）着色剤−
（Ａ）着色剤は、着色剤（Ａ１）、着色剤（Ａ２）及び着色剤（Ａ３）を含有するが、着色剤（Ａ１）〜（Ａ３）を組み合わせることで、可視領域の光の遮光性と、近赤外領域の光の透過性を付与することができる。
着色剤（Ａ１）は、下記式（１）で表されるペリレン系着色剤である。
ペリレン系着色剤は、５００〜７００ｎｍの可視領域における高い遮光性と８００ｎｍ以上の近赤外領域における高い透過性を有する。
【００１６】
【化２】
2014130332.tif 000003
【００１７】
式（１）において、  Ｒ1及びＲ2は、それぞれ独立に、水素原子、水酸基、メトキシ基又はアセチル基を示すが、中でも、メトキシ基が好ましい。
また、Ｒ3及びＲ4は、それぞれ独立に、フェニレン基、又は直接結合を示し、Ｒ3及びＲ5が同時に直接結合であることはない。Ｒ3及びＲ4としては、フェニレン基が好ましく、その場合、芳香環上のＲ1及びＲ2の置換位置はｐ位が好ましい。
Ｒ5及びＲ6は、それぞれ独立に、直接結合、又は炭素数１〜１０のアルカンジイル基を示し、Ｒ4及びＲ6が同時に直接結合であることはない。炭素数１〜１０のアルカンジイル基としては、例えば、メチレン基、エタン−１，２−ジイル基、エタン−１，１−ジイル基、プロパン−１，１−ジイル基、プロパン−１，２−ジイル基、プロパン−１，３−ジイル基、プロパン−２，２−ジイル基、ブタン−１，２−ジイル基、ブタン−１，３−ジイル基、ブタン−１，４−ジイル基、ペンタン−１，４−ジイル基、ペンタン−１，５−ジイル基、ヘキサン−１，５−ジイル基、ヘキサン−１，６−ジイル基、へプタン−１，７−ジイル基、オクタン−１，８−ジイル基、ノナン−１，９−ジイル基、デカン−１，１０−ジイル基等を挙げることができる。中でも、Ｒ5及びＲ6としては、炭素数１〜１０のアルカンジイル基が好ましく、炭素数１〜６のアルカンジイル基が好ましく、炭素数１〜４のアルカンジイル基がより好ましく、メチレン基、エタン−１，２−ジイル基が更に好ましい。
【００１８】
前記式（１）で表されるペリレン系着色剤として、下記のようなカラーインデックス（C.I.；The Society of Dyers and Colourists 社発行、以下、同様である。）番号が付されているものを挙げることができる。
Ｃ．Ｉ．ピグメントブラック３１、Ｃ．Ｉ．ピグメントブラック３２。
【００１９】
前記式（１）で表される着色剤は、例えば、ペリレン−３，５，９，１０−テトラカルボン酸又はその二無水物とアミン化合物とを水又は有機溶媒中で反応させることによって得ることができる。操作方法は、例えば、特開昭６２−１７５３号公報、特公昭６３−２６７８４号公報の記載を参照することができる。
【００２０】
着色剤（Ａ２）は、青色着色剤及び緑色着色剤から選ばれる１種以上の着色剤である。
青色着色剤及び緑色着色剤は、６５０〜７５０ｎｍの可視領域に吸収帯を有し、８００ｎｍ以上の近赤外領域を透過する。
青色着色剤及び緑色着色剤は、顔料、染料の何れをも使用することが可能であり、顔料は有機顔料及び無機顔料の何れでもよい。なお、青色着色剤及び緑色着色剤は、それぞれ単独で又は２種以上を組み合わせて使用することができる。
【００２１】
青色着色剤としては、例えば、フタロシアニン系、アントラキノン系、ジオキサジン系の顔料を挙げることができる。下記のようなカラーインデックス番号が付されているものを挙げることができる。
【００２２】
Ｃ．Ｉ．ピグメントブルー１、Ｃ．Ｉ．ピグメントブルー２、Ｃ．Ｉ．ピグメントブルー３、Ｃ．Ｉ．ピグメントブルー９、Ｃ．Ｉ．ピグメントブルー１０、Ｃ．Ｉ．ピグメントブルー１４、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー１７：１、Ｃ．Ｉ．ピグメントブルー２４、Ｃ．Ｉ．ピグメントブルー２４：１、Ｃ．Ｉ．ピグメントブルー５６、Ｃ．Ｉ．ピグメントブルー６０、Ｃ．Ｉ．ピグメントブルー６１、Ｃ．Ｉ．ピグメントブルー６２、Ｃ．Ｉ．ピグメントブルー８０等の青色顔料。
【００２３】
染料として、下記のようなカラーインデックス番号が付されているものを挙げることができる。
【００２４】
Ｃ．Ｉ．バットブルー４、Ｃ．Ｉ．アシッドブルー４０、Ｃ．Ｉ．リアクティブブルー１９、Ｃ．Ｉ．リアクティブブルー４９、Ｃ．Ｉ．ディスパースブルー５６、Ｃ．Ｉ．ディスパースブルー６０等のアントラキノン系青色染料；
Ｃ．Ｉ．アシッドブルー７、Ｃ．Ｉ.ベーシック ブルー１、Ｃ．Ｉ.ベーシック ブルー５、Ｃ．Ｉ.ベーシック ブルー７、Ｃ．Ｉ.ベーシック ブルー１１、Ｃ．Ｉ.ベーシック ブルー２６等のトリアリールメタン系青色染料；
Ｃ．Ｉ．パッドブルー５等のフタロシアニン系青色染料；
Ｃ．Ｉ．ベーシックブルー３、Ｃ．Ｉ．ベーシックブルー９等のキノンイミン系青色染料。
【００２５】
緑色着色剤としては、例えば、フタロシアニン系、アントラキノン系の顔料を挙げることができる。下記のようなカラーインデックス番号が付されているものを挙げることができる。
【００２６】
Ｃ．Ｉ．ピグメントグリーン１、Ｃ．Ｉ．ピグメントグリーン４、Ｃ．Ｉ．ピグメントグリーン７、Ｃ．Ｉ．ピグメントグリーン３６、Ｃ．Ｉ．ピグメントグリーン５８等の緑色顔料。
【００２７】
染料として、下記のようなカラーインデックス番号が付されているものを挙げることができる。
【００２８】
Ｃ．Ｉ．ダイレクトグリーン２８、Ｃ．Ｉ．ダイレクトグリーン５９等のアゾ系緑色染料；Ｃ．Ｉ．アシッドグリーン２５等のアントラキノン系緑色染料；Ｃ．Ｉ.ベーシック グリーン１、Ｃ．Ｉ.ベーシック グリーン４等のトリアリールメタン系緑色染料。
【００２９】
着色剤（Ａ２）としては、解像性により一層優れた感光性組成物となることから、青色着色剤が好ましく、銅フタロシアニン顔料が好ましく、Ｃ．Ｉ．ピグメントブルー１５：６が更に好ましい。
【００３０】
着色剤（Ａ３）は、黄色着色剤及び赤色着色剤から選ばれる１種以上の着色剤である。
黄色着色剤及び赤色着色剤は、３８０〜４８０ｎｍの可視領域に吸収帯を有し、８００ｎｍ以上の近赤外領域を透過させるため、近赤外領域の透過性を損なうことなく、３８０〜４８０ｎｍの可視領域を遮光することができる。
黄色着色剤及び赤色着色剤は、顔料、染料の何れをも使用することが可能であり、顔料は有機顔料及び無機顔料の何れでもよい。黄色着色剤及び赤色着色剤は、それぞれ単独で又は２種以上を組み合わせて使用することができる。
【００３１】
黄色着色剤としては、例えば、アントラキノン系、イソインドリノン系、縮合アゾ系、ベンズイミダゾロン系、モノアゾ系、ジスアゾ系の顔料を挙げることができる。カラーインデックス番号が付されている顔料として、下記を挙げることができる。
【００３２】
Ｃ．Ｉ．ソルベントイエロー１６３、Ｃ．Ｉ．ピグメントイエロー２４、Ｃ．Ｉ．ピグメントイエロー１０８、Ｃ．Ｉ．ピグメントイエロー１９３、Ｃ．Ｉ．ピグメントイエロー１４７、Ｃ．Ｉ．ピグメントイエロー１９９、Ｃ．Ｉ．ピグメントイエロー２０２等のアントラキノン系黄色顔料；
Ｃ．Ｉ．ピグメントイエロー１１０、Ｃ．Ｉ．ピグメントイエロー１０９、Ｃ．Ｉ．ピグメントイエロー１３９、Ｃ．Ｉ．ピグメントイエロー１７９、Ｃ．Ｉ．ピグメントイエロー１８５等のイソインドリノン系黄色顔料；
Ｃ．Ｉ．ピグメントイエロー９３、Ｃ．Ｉ．ピグメントイエロー９４、Ｃ．Ｉ．ピグメントイエロー９５、Ｃ．Ｉ．ピグメントイエロー１２８、Ｃ．Ｉ．ピグメントイエロー１５５、Ｃ．Ｉ．ピグメントイエロー１６６、Ｃ．Ｉ．ピグメントイエロー１８０等の縮合アゾ系黄色顔料；
Ｃ．Ｉ．ピグメントイエロー１２０、Ｃ．Ｉ．ピグメントイエロー １５１、Ｃ．Ｉ．ピグメントイエロー１５４、Ｃ．Ｉ．ピグメントイエロー１５６、Ｃ．Ｉ．ピグメントイエロー１７５、Ｃ．Ｉ．ピグメントイエロー１８１等のベンズイミダゾロン系黄色顔料；
Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー４、Ｃ．Ｉ．ピグメントイエロー５、Ｃ．Ｉ．ピグメントイエロー６、Ｃ．Ｉ．ピグメントイエロー９、Ｃ．Ｉ．ピグメントイエロー１０、Ｃ．Ｉ．ピグメントイエロー１２、Ｃ．Ｉ．ピグメントイエロー６１、Ｃ．Ｉ．ピグメントイエロー６２、Ｃ．Ｉ．ピグメントイエロー６２：１、Ｃ．Ｉ．ピグメントイエロー６５、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー９７、Ｃ．Ｉ．ピグメントイエロー１００、Ｃ．Ｉ．ピグメントイエロー１０４、Ｃ．Ｉ．ピグメントイエロー１０５、Ｃ．Ｉ．ピグメントイエロー１１１、Ｃ．Ｉ．ピグメントイエロー１１６、Ｃ．Ｉ．ピグメントイエロー１６７、Ｃ．Ｉ．ピグメントイエロー１６８、Ｃ．Ｉ．ピグメントイエロー１６９、Ｃ．Ｉ．ピグメントイエロー１８２、Ｃ．Ｉ．ピグメントイエロー１８３等のモノアゾ系黄色顔料；
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー５５、Ｃ．Ｉ．ピグメントイエロー６３、Ｃ．Ｉ．ピグメントイエロー８１、Ｃ．Ｉ．ピグメントイエロー８３、Ｃ．Ｉ．ピグメントイエロー８７、Ｃ．Ｉ．ピグメントイエロー１２６、Ｃ．Ｉ．ピグメントイエロー１２７、Ｃ．Ｉ．ピグメントイエロー１５２、Ｃ．Ｉ．ピグメントイエロー１７０、Ｃ．Ｉ．ピグメントイエロー１７２、Ｃ．Ｉ．ピグメントイエロー１７４、Ｃ．Ｉ．ピグメントイエロー１７６、Ｃ．Ｉ．ピグメントイエロー１８８、Ｃ．Ｉ．ピグメントイエロー１９８等のジスアゾ系黄色顔料。
【００３３】
染料として、下記のようなカラーインデックス番号が付されているものを挙げることができる。
【００３４】
Ｃ．Ｉ．アシッドイエロー１１、Ｃ．Ｉ．ダイレクトイエロー１２、Ｃ．Ｉ．リアクティブイエロー２、Ｃ．Ｉ．モルダントイエロー５等のアゾ系黄色染料；
Ｃ．Ｉ．ソルベントイエロー３３、Ｃ．Ｉ．アシッドイエロー３、Ｃ．Ｉ．ディスパースイエロー６４等のキノリン系黄色染料；
Ｃ．Ｉ．アシッドイエロー１、Ｃ．Ｉ．ディスパースイエロー４２等のニトロ系黄色染料；
Ｃ．Ｉ．ディスパースイエロー２０１等のメチン系黄色染料；
Ｃ．Ｉ．ベーシックイエロー１、Ｃ．Ｉ．ベーシックイエロー１１、Ｃ．Ｉ．ベーシックイエロー１３、Ｃ．Ｉ．ベーシックイエロー２１、Ｃ．Ｉ．ベーシックイエロー２８、Ｃ．Ｉ．ベーシックイエロー５１、Ｃ．Ｉ．リアクティブイエロー１等のシアニン系黄色染料。
【００３５】
赤色着色剤としては、例えば、モノアゾ系、ジスアゾ系、モノアゾレーキ系、ベンズイミダゾロン系、ジケトピロロピロール系、縮合アゾ系、アントラキノン系、キナクリドン系等の顔料を挙げることができる。カラーインデックス番号が付されている顔料として、下記を挙げることができる。
【００３６】
Ｃ．Ｉ．ピグメントレッド１、Ｃ．Ｉ．ピグメントレッド２、Ｃ．Ｉ．ピグメントレッド３、Ｃ．Ｉ．ピグメントレッド４、Ｃ．Ｉ．ピグメントレッド５、Ｃ．Ｉ．ピグメントレッド６、Ｃ．Ｉ．ピグメントレッド８、Ｃ．Ｉ．ピグメントレッド９、Ｃ．Ｉ．ピグメントレッド１２、Ｃ．Ｉ．ピグメントレッド１４、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド２１、Ｃ．Ｉ．ピグメントレッド２２、Ｃ．Ｉ．ピグメントレッド２３、Ｃ．Ｉ．ピグメントレッド３１、Ｃ．Ｉ．ピグメントレッド３２、Ｃ．Ｉ．ピグメントレッド１１２、Ｃ．Ｉ．ピグメントレッド１１４、Ｃ．Ｉ．ピグメントレッド１４６、Ｃ．Ｉ．ピグメントレッド１４７、Ｃ．Ｉ．ピグメントレッド１５１、Ｃ．Ｉ．ピグメントレッド１７０、Ｃ．Ｉ．ピグメントレッド１８４、Ｃ．Ｉ．ピグメントレッド１８７、Ｃ．Ｉ．ピグメントレッド１８８、Ｃ．Ｉ．ピグメントレッド１９３、Ｃ．Ｉ．ピグメントレッド２１０、Ｃ．Ｉ．ピグメントレッド２４５、Ｃ．Ｉ．ピグメントレッド２５３、Ｃ．Ｉ．ピグメントレッド２５８、Ｃ．Ｉ．ピグメントレッド２６６、Ｃ．Ｉ．ピグメントレッド２６７、Ｃ．Ｉ．ピグメントレッド２６８、Ｃ．Ｉ．ピグメントレッド２６９等のモノアゾ系赤色顔料；
Ｃ．Ｉ．ピグメントレッド３７、Ｃ．Ｉ．ピグメントレッド３８、Ｃ．Ｉ．ピグメントレッド４１等のジスアゾ系赤色顔料；
Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４９：１、Ｃ．Ｉ．ピグメントレッド４９：２、Ｃ．Ｉ．ピグメントレッド５０：１、Ｃ．Ｉ．ピグメントレッド５２：１、Ｃ．Ｉ．ピグメントレッド５２：２、Ｃ．Ｉ．ピグメントレッド５３：１、Ｃ．Ｉ．ピグメントレッド５３：２、Ｃ．Ｉ．ピグメントレッド５７：１、Ｃ．Ｉ．ピグメントレッド５８：４、Ｃ．Ｉ．ピグメントレッド６３：１、Ｃ．Ｉ．ピグメントレッド６３：２、Ｃ．Ｉ．ピグメントレッド６４：１、Ｃ．Ｉ．ピグメントレッド６８等のモノアゾレーキ系赤色顔料；
Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１８５、Ｃ．Ｉ．ピグメントレッド２０８等のベンズイミダゾロン系赤色顔料；
Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２７０、Ｃ．Ｉ．ピグメントレッド２７２等のジケトピロロピロール系赤色顔料；
Ｃ．Ｉ．ピグメントレッド２２０、Ｃ．Ｉ．ピグメントレッド１４４、Ｃ．Ｉ．ピグメントレッド１６６、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２４２等の縮合アゾ系赤色顔料；
Ｃ．Ｉ．ピグメントレッド１６８、Ｃ．Ｉ．ピグメントレッド１７７、Ｃ．Ｉ．ピグメントレッド２１６、Ｃ．Ｉ．ソルベントレッド１４９、Ｃ．Ｉ．ソルベントレッド１５０、Ｃ．Ｉ．ソルベントレッド５２、Ｃ．Ｉ．ソルベントレッド２０７等のアンスラキノン系赤色顔料；
Ｃ．Ｉ．ピグメントレッド１２２、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９等のキナクリドン系赤色顔料。
【００３７】
また、染料として、下記のようなカラーインデックス番号が付されているものを挙げることができる。
【００３８】
Ｃ．Ｉ．アシッドレッド３７、Ｃ．Ｉ．アシッドレッド１８０、Ｃ．Ｉ．アシッドブルー２９、Ｃ．Ｉ．ダイレクトレッド２８、Ｃ．Ｉ．ダイレクトレッド８３、Ｃ．Ｉ．リアクティブレッド１７、Ｃ．Ｉ．リアクティブレッド１２０、Ｃ．Ｉ．ディスパースレッド５８、Ｃ．Ｉ．ベーシックレッド１８、Ｃ．Ｉ．モルダントレッド７等のアゾ系赤色染料；
Ｃ．Ｉ．ディスパースレッド６０等のアントラキノン系赤色染料；
Ｃ．Ｉ．アシッドレッド５２、Ｃ．Ｉ．アシッドレッド８７、Ｃ．Ｉ．アシッドレッド９２、Ｃ．Ｉ．アシッドレッド２８９、Ｃ．Ｉ．アシッドレッド３８８等のキサンテン系赤色染料；
Ｃ．Ｉ．ベーシックレッド１２、Ｃ．Ｉ．ベーシックレッド１３、Ｃ．Ｉ．ベーシックレッド１４等のシアニン系赤色染料。
【００３９】
着色剤（Ａ３）としては、解像性により一層優れた感光性組成物となることから、黄色着色剤が好ましく、イソインドリノン系顔料が好ましく、Ｃ．Ｉ．ピグメントイエロー１３９が更に好ましい。
【００４０】
本発明の感光性組成物には、本発明の効果を損なわない範囲で、着色剤（Ａ１）、着色剤（Ａ２）及び着色剤（Ａ３）以外の他の着色剤を、色調の調整を目的に用いることもできる。他の着色剤は、顔料、染料の何れをも使用することが可能であり、顔料は有機顔料及び無機顔料の何れでもよい。また、染料も有機染料及び無機染料の何れでもよい。他の着色剤は、単独で又は２種以上を組み合わせて使用することができる。
【００４１】
他の着色剤としては、下記のカラーインデックス番号が付されている顔料を挙げることができる。
Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、
Ｃ．Ｉ．ピグメントオレンジ４９、Ｃ．Ｉ．ピグメントオレンジ６１、Ｃ．Ｉ．ピグメントオレンジ６４、Ｃ．Ｉ．ピグメントオレンジ６８、Ｃ．Ｉ．ピグメントオレンジ７０、Ｃ．Ｉ．ピグメントオレンジ７１、Ｃ．Ｉ．ピグメントオレンジ７２、Ｃ．Ｉ．ピグメントオレンジ７３、Ｃ．Ｉ．ピグメントオレンジ７４等のオレンジ顔料；
Ｃ．Ｉ．ピグメントバイオレット１、Ｃ．Ｉ．ピグメントバイオレット２、Ｃ．Ｉ．ピグメントバイオレット３、Ｃ．Ｉ．ピグメントバイオレット３：１、Ｃ．Ｉ．ピグメントバイオレット３：３、Ｃ．Ｉ．ピグメントバイオレット１９、Ｃ．Ｉ．ピグメントバイオレット２３、Ｃ．Ｉ．ピグメントバイオレット２７、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８、Ｃ．Ｉ．ピグメントバイオレット３９等のバイオレット顔料；
Ｃ．Ｉ．ピグメントブラウン２３、Ｃ．Ｉ．ピグメントブラウン２５等の茶色顔料；
Ｃ．Ｉ．ピグメントブラック１、Ｃ．Ｉ．ピグメントブラック７等の黒色顔料。
【００４２】
酸化チタン、硫酸バリウム、炭酸カルシウム、亜鉛華、硫酸鉛、チタンブラック、合成鉄黒、カーボンブラック等の無機顔料。
【００４３】
有機染料としては、下記のカラーインデックス（Ｃ．Ｉ．）番号が付されているものを挙げることができる。
【００４４】
Ｃ．Ｉ．アシッドオレンジ７、Ｃ．Ｉ．ダイレクトオレンジ２６、Ｃ．Ｉ．リアクティブブラック５、Ｃ．Ｉ．ディスパースオレンジ５、Ｃ．Ｉ．モルダントブラック７等のアゾ系染料；
Ｃ．Ｉ.ベーシックバイオレット１、Ｃ．Ｉ.ベーシックバイオレット３、Ｃ．Ｉ.ベーシックバイオレット１４等のトリアリールメタン系染料；
Ｃ．Ｉ．ベーシックバイオレット１１等のキサンテン系染料；
Ｃ．Ｉ．アシッドオレンジ３等のニトロ系染料；
Ｃ．Ｉ．ベーシックバイオレット７、Ｃ．Ｉ．ベーシックバイオレット１６等のシアニン系染料。
【００４５】
本発明においては、（Ａ）着色剤として顔料を使用する場合、当該顔料を、再結晶法、再沈殿法、溶剤洗浄法、昇華法、真空加熱法又はこれらの組み合わせにより精製して使用してもよい。顔料は、所望により、その粒子表面を樹脂で改質して使用することもできる。顔料の粒子表面を改質する樹脂としては、例えば、特開２００１−１０８８１７号公報に記載のビヒクル樹脂、又は市販の各種の顔料分散用の樹脂が挙げられる。カーボンブラック表面の樹脂被覆方法としては、特開平９−７１７３３号公報、特開平９−９５６２５号公報、特開平９−１２４９６９号公報等に記載の方法を採用することができる。また、有機顔料は、いわゆるソルトミリングにより、一次粒子を微細化して使用してもよい。ソルトミリングの方法としては、例えば、特開平０８−１７９１１１号公報に開示されている方法を採用することができる。動的光散乱法で測定した有機顔料の分散粒子径は、通常、分散安定性及び解像性のバランスの点から、１ｎｍ〜２００ｎｍである。
【００４６】
本発明においては、（Ａ）着色剤を、所望により分散剤と共に使用することができる。分散剤は、感光性組成物、着色剤分散液中の着色剤を均一に溶解もしくは分散させるために用いるものである。分散剤としては、カチオン系、アニオン系、ノニオン系等の適宜の分散剤を使用することができる。これらの分散剤の中では、遮光性、解像性の向上の観点から、ポリマー分散剤が好ましい。ポリマー分散剤としては、アクリル系共重合体、ポリウレタン、ポリエステル、ポリエチレンイミン、ポリアリルアミン等を挙げることができる。分散剤は、単独で又は２種以上を組み合わせて使用することができる。
【００４７】
このような分散剤は商業的に入手することができ、例えば、アクリル系共重合体として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６、ＢＹＫ−ＬＰＮ２１３２４（以上、ビックケミー（ＢＹＫ）社製）を、ポリウレタンとして、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００、ソルスパース３７５００（以上、ルーブリゾール（株）社製）を、ポリエチレンイミンとして、ソルスパース２４０００（ルーブリゾール（株）社製）を、ポリエステルとして、アジスパーＰＢ８２１、アジスパーＰＢ８２２、アジスパーＰＢ８８０（以上、味の素ファインテクノ株式会社製）を、挙げることができる。アクリル系共重合体としては、特開２０１１−２３２７３５号公報、特開２０１１−２３７７６９号公報、特開２０１２−３２７６７号公報に開示されている共重合体も挙げることができる。分散剤の含有量は、本発明の目的を阻害しない範囲内で適宜使用することが可能である。
【００４８】
本発明においては、分散剤と共に分散助剤を用いることもできる。
【００４９】
赤外線を利用する光センサーに用いる光フィルタは、波長４２５ｎｍ〜７５０ｎｍの範囲を遮光する必要がある。
前記式（１）に示す着色剤は、波長５００ｎｍ〜７００ｎｍの遮光性には優れるが、可視領域中の波長３８０ｎｍ〜４８０ｎｍ付近、及び波長６５０ｎｍ〜７５０ｎｍ付近の遮光性に劣る。したがって、当該ペリレン系着色剤を含有するのみでは、可視光波長域の遮光性が十分ではない。そこで、本発明においては、前記式（１）に示す着色剤に加えて、波長３８０〜４８０ｎｍ付近の遮光性に優れる着色剤（Ａ３）、及び波長６５０〜７５０ｎｍ付近の遮光性に優れる着色剤（Ａ２）を含有することにより、可視領域の光の遮光性を十分とするものである。
【００５０】
（Ａ）着色剤として、着色剤（Ａ１）、着色剤（Ａ２）及び着色剤（Ａ３）を必須とするのみならず、これらの含有割合を以下のように制御することにより、感光性組成物の固形分中に含まれる全着色剤の含有割合を減らしても、感光性組成物から得られる光フィルターの可視領域の光の透過率を充分に低下させることができる。そして、解像性の向上に寄与しない着色剤の含有割合を減らせることから、解像性に優れた感光性組成物となる。
着色剤（Ａ１）の含有割合は、全着色剤中に４０〜８０質量％であるが、より一層の遮光性の向上、解像性の向上の観点から、４５〜７５質量％が好ましく、５０〜７０質量％がより好ましく、５５〜６５質量％が更に好ましい。
着色剤（Ａ２）の含有割合は、全着色剤中に１０〜４０質量％であるが、より一層の遮光性、解像性の向上の観点から、１２〜３０質量％が好ましく、１４〜２５質量％がより好ましい。
着色剤（Ａ３）の含有割合は、全着色剤中に１０〜４０質量％であるが、より一層の遮光性、解像性の向上の観点から、１５〜３５質量％が好ましく、１７〜３０質量％がより好ましい。
着色剤（Ａ１）、着色剤（Ａ２）及び着色剤（Ａ３）の合計の含有割合は、より一層の遮光性、解像性の向上の観点から、全着色剤中に８０〜１００質量％が好ましく、９０〜１００質量％がより好ましく、９５〜１００質量％が更に好ましく、１００質量％が特に好ましい。
【００５１】
（Ａ）着色剤の含有割合は、遮光性、解像性の向上の観点から、感光性組成物の固形分中に、４０〜８０質量％が好ましく、４５〜７０質量％がより好ましく、５０〜６０質量％が更に好ましい。ここで、本明細書において「固形分」とは、後述する（Ｄ）溶剤以外の成分である。本発明においては、着色剤（Ａ１）、着色剤（Ａ２）及び着色剤（Ａ３）を組み合わせ、これらの含有割合を特定範囲内に制御することで、（Ａ）着色剤の含有割合が感光性組成物の固形分中に６０質量％以下の低濃度であっても、可視領域の光を十分に遮断し、近赤外領域の光を十分に透過させることができ、解像性に優れた感光性組成物となる。
【００５２】
−（Ｂ）エチレン性不飽和基を有する化合物−
（Ｂ）エチレン性不飽和基を有する化合物は、後述する（Ｃ）光重合開始剤の存在下において放射線を照射することにより重合する不飽和化合物であり、重合することにより、感光性組成物から硬化膜を形成するために用いるものである。エチレン性不飽和基は単官能でも、多官能であってもよい。ここで「単官能」とは、エチレン性不飽和基を１個有することをいい、また「多官能」とはエチレン性不飽和基を２個以上有することをいう。中でも、（Ｂ）エチレン性不飽和基を有する化合物としては、重合性が良好であり、得られる硬化膜の強度が向上するという観点から、２個以上のエチレン性不飽和基を有する（メタ）アクリル酸エステル、エチレン性不飽和基を２個以上有する重合体が好ましい。ここで、本明細書において「（メタ）アクリル酸」とは、メタクリル酸及びアクリル酸を包含する概念である。
【００５３】
多官能の（メタ）アクリル酸エステルとしては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する多官能（メタ）アクリレートと酸無水物を反応させて得られるカルボキシル基を有する多官能（メタ）アクリレート等を挙げられる。
【００５４】
上記脂肪族ポリヒドロキシ化合物と（メタ）アクリル酸を反応させて得られる多官能の（メタ）アクリレートとしては、トリメチロールプロパントリ（メタ）アクリレート、ペンタエリスリトールトリ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレート、トリペンタエリスリトールオクタ（メタ）アクリレート等を挙げることができる。上記カプロラクトン変性された多官能（メタ）アクリレートとしては、特開平１１−４４９５５号公報の段落〔００１５〕〜〔００１８〕に記載されている化合物等を挙げることができる。上記アルキレンオキサイド変性された多官能（メタ）アクリレートとしては、特開平１０−６２９８６号公報の請求項１に記載されている化合物、特開２００８−８３５０８号公報の請求項１に記載されている化合物等を挙げることができる。上記水酸基を有する（メタ）アクリレートと多官能イソシアネートを反応させて得られる多官能ウレタン（メタ）アクリレートとしては、特開２００３−３１５９９８号公報の段落〔００１４〕〜〔００１５〕に記載されている化合物等を挙げることができる。上記水酸基を有する多官能（メタ）アクリレートと酸無水物を反応させて得られるカルボキシル基を有する多官能（メタ）アクリレートとしては、ペンタエリスリトールトリアクリレートと無水こはく酸を反応させて得られる化合物、ジペンタエリスリトールペンタアクリレートと無水こはく酸を反応させて得られる化合物等を挙げることができる。
【００５５】
上記エチレン性不飽和基を２個以上有する重合体としては、（メタ）アクリロイル基等のエチレン性不飽和基とカルボキシル基を有する重合体が好ましい。エチレン性不飽和基とカルボキシル基を有する重合体としては、特開平５−１９４６７号公報等に記載のグリシジル基を介してエチレン性不飽和基を導入した（メタ）アクリル系共重合体；特開平６−２３０２１２号公報等に記載のイソシアネート基を介してビニル基を導入したビニル系共重合体；国際公開第９６／２３２３７号パンフレット等に記載の脂環式（メタ）アクリロイル基を有する（メタ）アクリル系共重合体；特開平７−２０７２１１号公報、特開平９−３２５４９４号公報、特開平１１−１４０１４４号公報、特開２００８−１８１０９５号公報等に記載の（メタ）アクリロイル基とカルボキシ基を導入したエポキシ樹脂；国際公開第０９／１１９６２２号パンフレット等に記載のフルオレン骨格を有する感光性樹脂等を挙げることができる。エチレン性不飽和基とカルボキシル基を有する重合体以外のエチレン性不飽和基を２個以上有する重合体としては、特開２００８−２４２０７８号公報の段落〔０１１１〕〜〔０１１２〕に記載の側鎖に（メタ）アクリロイル基を有するポリシロキサンも好適に使用することができる。
【００５６】
（Ｂ）エチレン性不飽和基を有する化合物は、単独で又は２種以上を組み合わせて使用することができる。
（Ｂ）エチレン性不飽和基を有する化合物の含有割合は、通常、感光性組成物の固形分中に、５〜４０質量％である。
【００５７】
−（Ｃ）光重合開始剤−
（Ｃ）光重合開始剤は、可視光線、紫外線、遠紫外線等の光により、（Ｂ）エチレン性不飽和基を有する化合物の重合を開始しうる活性種を発生する化合物である。
【００５８】
（Ｃ）光重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物等を挙げることができる。（Ｃ）光重合開始剤は、単独で又は２種以上を混合して使用することができる。
【００５９】
チオキサントン系化合物としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００６０】
アセトフェノン系化合物としては、２−メチル−１−〔４−（メチルチオ）フェニル〕−２−モルフォリノプロパノン−１、２−ベンジル−２−ジメチルアミノ−１−（４−モルフォリノフェニル）ブタノン−１、２−（４−メチルベンジル）−２−（ジメチルアミノ）−１−（４−モルフォリノフェニル）ブタノン−１等を挙げることができる。
【００６１】
ビイミダゾール系化合物としては、２，２'−ビス（２−クロロフェニル）−４，４'，５，５'−テトラフェニル−１，２'−ビイミダゾール、２，２'−ビス（２，４−ジクロロフェニル）−４，４'，５，５'−テトラフェニル−１，２'−ビイミダゾール、２，２'−ビス（２，４，６−トリクロロフェニル）−４，４'，５，５'−テトラフェニル−１，２'−ビイミダゾール等を挙げることができる。
【００６２】
トリアジン系化合物としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【００６３】
Ｏ−アシルオキシム系化合物としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。
【００６４】
（Ｃ）光重合開始剤の中でも、アセトフェノン系化合物、Ｏ−アシルオキシム系化合物が好ましい。
【００６５】
本発明において、（Ｃ）光重合開始剤の含有量は、（Ｂ）エチレン性不飽和基を有する化合物１００質量部に対して、通常、１〜５０質量部、３〜３０質量部が好ましい。このような割合で（Ｃ）光重合開始剤を含有させることで、基板上に十分な硬度の硬化膜を形成させることができる。
−（Ｄ）溶剤−
（Ｄ）溶剤は、感光性組成物や着色剤分散液中に含まれる（Ｄ）溶剤以外の成分を均一に分散もしくは溶解させるために用いる成分であり、（Ｄ）溶剤以外の成分と反応せず、適度の揮発性を有するものである限り、適宜選択して使用することができる。（Ｄ）溶剤は、単独で又は２種以上を組み合わせて使用することができる。
【００６６】
このような溶剤としては、例えば、
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）ア
ルキレングリコールモノアルキルエーテル類；
【００６７】
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、３−メトキシブチルアセテート、３−メチル−３−メトキシブチルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等のエーテル類；
メチルエチルケトン、シクロヘキサノン、２−ヘプタノン、３−ヘプタノン等のケトン類；
【００６８】
プロピレングリコールジアセテート、１，３−ブチレングリコールジアセテート、１，６−ヘキサンジオールジアセテート等のジアセテート類；
乳酸メチル、乳酸エチル等の乳酸アルキルエステル類；
２−ヒドロキシ−２−メチルプロピオン酸エチル、３−メトキシプロピオン酸メチル、３−メトキシプロピオン酸エチル、３−エトキシプロピオン酸メチル、３−エトキシプロピオン酸エチル、エトキシ酢酸エチル、ヒドロキシ酢酸エチル、２−ヒドロキシ−３−メチルブタン酸メチル、３−メチル−３−メトキシブチルプロピオネート、酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等のエステル類；
トルエン、キシレン等の芳香族炭化水素類；
Ｎ，Ｎ−ジメチルホルムアミド、Ｎ，Ｎ−ジメチルアセトアミド、Ｎ−メチルピロリドン等のアミド又はラクタム類を挙げることができる。
【００６９】
（Ｄ）溶剤のうち、溶解性、顔料分散性、塗布性等の観点から、（ポリ）アルキレングリコールモノアルキルエーテルアセテート類が好ましく、エチレングリコールモノメチルエーテルアセテート、プロピレングリコールモノメチルエーテルアセテート、プロピレングリコールモノエチルエーテルアセテートが更に好ましい。
【００７０】
溶剤を２種以上組み合わせる場合、ベンジルエチルエーテル、ジ−ｎ−ヘキシルエーテル、アセトニルアセトン、イソホロン、カプロン酸、カプリル酸、１−オクタノール、１−ノナノール、酢酸ベンジル、安息香酸エチル、しゅう酸ジエチル、マレイン酸ジエチル、γ−ブチロラクトン、炭酸エチレン、炭酸プロピレン、エチレングリコールモノフェニルエーテルアセテート等の高沸点溶剤を併用することもできる。
【００７１】
（Ｄ）溶剤の含有量は特に限定されるものではないが、通常、当該感光性組成物から（Ｄ）溶剤を除いた成分の合計濃度が、５〜７０質量％となる範囲内で用いられる。
【００７２】
−（Ｅ）アルカリ可溶性重合体−
本発明においては、感光性組成物の塗膜をアルカリ性の液（アルカリ現像液）で現像するとき、塗膜の現像性を向上させるために、更に（Ｅ）アルカリ可溶性重合体を含有することができる。
（Ｅ）アルカリ可溶性重合体としては、１分子中に１個以上の酸性基を有する重合体であれば特に限定されるものではない。酸性基としては、例えば、カルボキシル基、フェノール性水酸基、スルホ基が挙げられる。このような重合体としては、１個以上の酸性基を有する（メタ）アクリル系単量体（以下、「不飽和単量体（ｅ１）」という。）と、該単量体とラジカル共重合可能なエチレン性不飽和単量体（以下、「不飽和単量体（ｅ２）」という。）との共重合体が好ましい。
【００７３】
不飽和単量体（ｅ１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−イソプロペニルフェノールを挙げることができる。これら不飽和単量体（ｅ１）は、単独で又は２種以上を混合して使用することができる。
【００７４】
不飽和単量体（ｅ２）としては、例えば、
Ｎ−フェニルマレイミド、Ｎ−シクロヘキシルマレイミドの如きＮ−置換マレイミド；スチレン、α−メチルスチレン、ｐ−ヒドロキシ−α−メチルスチレンの如き芳香族ビニル化合物；
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングリコール（ｎ＝２〜１０）メチルエーテル（メタ）アクリレート、ポリプロピレングリコール（ｎ＝２〜１０）メチルエーテル（メタ）アクリレート、ポリエチレングリコール（ｎ＝２〜１０）モノ（メタ）アクリレート、ポリプロピレングリコール（ｎ＝２〜１０）モノ（メタ）アクリレート、シクロヘキシル（メタ）アクリレート、イソボルニル（メタ）アクリレート、トリシクロ［５．２．１．０２，６］デカン−８−イル（メタ）アクリレート、ジシクロペンテニル（メタ）アクリレート、グリセロールモノ（メタ）アクリレート、パラクミルフェノールのエチレンオキサイド変性（メタ）アクリレートの如き不飽和カルボン酸エステル；
ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。これら不飽和単量体（ｅ２）は、単独で又は２種以上を混合して使用することができる。
【００７５】
不飽和単量体（ｅ１）と不飽和単量体（ｅ２）の共重合体において、該共重合体中の不飽和単量体（ｅ１）の共重合割合は、好ましくは５〜５０質量％、更に好ましくは１０〜４０質量％である。このような範囲で不飽和単量体（ｅ１）を共重合させることにより、保存安定性、アルカリ現像性に優れた感光性組成物を得ることができる。
【００７６】
不飽和単量体（ｅ１）と不飽和単量体（ｅ２）の共重合体としては、例えば、特開平７−１４０６５４号公報、特開平８−２５９８７６号公報、特開平１０−３１３０８号公報、特開平１０−３００９２２号公報、特開平１１−１７４２２４号公報、特開平１１−２５８４１５号公報、特開２０００−５６１１８号公報、特開２００４−１０１７２８等に開示されている共重合体を挙げることができる。
【００７７】
（Ｅ）アルカリ可溶性重合体として、例えば、特開平５−１９４６７号公報、特開平６−２３０２１２号公報、特開平７−２０７２１１号公報、特開平１１−１４０１４４号公報、特開２００８−１８１０９５号公報等に開示されているように、側鎖に（メタ）アクリロイル基等の重合性不飽和結合を有するカルボキシル基含有重合体を使用することもできる。
（Ｅ）アルカリ可溶性重合体は、エチレン性不飽和基を有する場合は、（Ｂ）エチレン性不飽和基を有する化合物として用いることができ、また分散性を有する場合は、分散剤として用いることができる。
【００７８】
（Ｅ）アルカリ可溶性重合体の重量平均分子量（Ｍｗ）は、通常、１，０００〜３００，０００、好ましくは３，０００〜１００，０００である。このような範囲内とすることで、得られる被膜の残膜率等に優れ、またパターン形状、耐熱性、電気特性等が良好で、更にはスリットノズル方式による塗布時に乾燥異物が発生し難くなる。ここで、本明細書において「Ｍｗ」とは、ゲルパーミエーションクロマトグラフィー（ＧＰＣ、溶出溶媒：テトラヒドロフラン）で測定したポリスチレン換算の重量平均分子量をいう。
（Ｅ）アルカリ可溶性重合体のＭｗ／Ｍｎは、通常、１．０〜５．０、好ましくは１．０〜３．０である。ここで、本明細書において「Ｍｎ」とは、ＧＰＣ（溶出溶媒：テトラヒドロフラン）で測定したポリスチレン換算の数平均分子量をいう。
本発明において、（Ｅ）アルカリ可溶性重合体は、単独で又は２種以上を組み合わせて使用することができる。
【００７９】
（Ｅ）アルカリ可溶性重合体の含有量は、（Ａ）着色剤１００質量部に対して、通常、１０〜１，０００質量部、好ましくは１５〜５００質量部、更に好ましくは２０〜３００質量部である。
【００８０】
−添加剤−
本発明の感光性組成物は、前記（Ａ）〜（Ｄ）成分を含有するものであるが、必要に応じて、種々の添加剤を含有することもできる。
添加剤としては、例えば、水素供与体；増感剤；ガラス、アルミナ等の充填剤；ポリビニルアルコール、ポリ（フロオロアルキルアクリレート）類等の高分子化合物；フッ素系界面活性剤、シリコン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤を挙げることができる。
【００８１】
光重合開始剤としてビイミダゾール系化合物を用いる場合、感度改良の観点から、水素供与体を併用することが好ましい。ここでいう「水素供与体」とは、光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体、４，４'−ビス（ジメチルアミノ）ベンゾフェノン、４，４'−ビス（ジエチルアミノ）ベンゾフェノン等のアミン系水素供与体を挙げることができる。
【００８２】
増感剤としては、例えば、４，４'−ビス（ジメチルアミノ）ベンゾフェノン、４，４'−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコンを挙げることができる。
【００８３】
−着色剤分散液および感光性組成物の製造−
本発明の感光性組成物は、先ず、（Ａ）着色剤を（Ｄ）溶剤中、必要に応じて他の分散剤と共に、例えば、ビーズミル、ロールミル等を用いて、粉砕しつつ混合・分散して着色剤分散液を調製する。この着色剤分散液に、（Ｂ）エチレン性不飽和基を有する化合物と、（Ｃ）光重合開始剤と、必要に応じて（Ｅ）アルカリ可溶性重合体、添加剤、更に追加の（Ｄ）溶媒等を添加し、混合する方法により製造することができる。
【００８４】
光フィルター及びその製造方法
本発明の光フィルターは、着色剤を含有する硬化膜を有するものであって、前記着色剤は、次の（Ａ１）〜（Ａ３）を含有するものである。
（Ａ１）前記式（１）に示す着色剤：全着色剤中に４０〜８０質量％。
（Ａ２）青色着色剤及び緑色着色剤から選ばれる１種以上の着色剤：全着色剤中に１０〜４０質量％。
（Ａ３）黄色着色剤及び赤色着色剤から選ばれる１種以上の着色剤：全着色剤中に１０〜４０質量％。
本発明の光フィルターは、本発明の感光性組成物を用いて形成することができる。
本発明の光フィルターは、前記着色剤（Ａ１）〜（Ａ３）を所定の割合で含有することにより、薄膜化しても可視領域の光を十分に遮断し、かつ近赤外領域の光を十分に透過することができる。
【００８５】
本発明の光フィルターの製造方法は、少なくとも下記（１）〜（４）の工程を含んでおり、下記の順序で実施することが好ましい。
（１）基板上に本発明の感光性組成物の塗膜を形成する工程。
（２）上記塗膜の少なくとも一部に露光する工程。
（３）露光後の塗膜を現像する工程。
（４）現像後の塗膜を加熱処理する工程。
【００８６】
以下、これらの工程について順次説明する。
−工程（１）−
工程（１）は、基板の表面上に、本発明の感光性組成物を塗布したのち、必要に応じて、加熱処理（プレベーク）することにより、塗膜を形成する工程である。
本工程で使用される基板の材質としては、例えば、ガラス、シリコン、窒化シリコン、ポリカーボネート、ポリエステル、芳香族ポリアミド、ポリアミドイミド、ポリイミドを挙げることができる。なお、これらの基板には、所望により、シランカップリング剤等による薬品処理、プラズマ処理、イオンプレーティング、スパッタリング、気相反応法、真空蒸着等の適宜の前処理を施しておくこともできる。
感光性組成物を基板に塗布する際には、回転塗布法、流延塗布法、ロール塗布法、スリットダイコーターを用いる塗布法等の適宜の塗布法を採用することができるが、回転塗布法、スリットダイコーターを用いる塗布法が好ましい。
また、プレベークの条件は、通常７０〜１８０℃で１〜１０分程度である。
塗膜の膜厚は、通常、０．３〜３．０μｍ、好ましくは０．８〜１．７μｍである。
【００８７】
−工程（２）−
工程（２）は、工程（１）で形成された塗膜の少なくとも一部を露光する工程である。
塗膜の一部を露光する際には、通常、所定のパターンを有するフォトマスクを介して行われる。
露光の際には、紫外線が使用される。紫外線の波長は３６５ｎｍが好ましい。紫外線の露光量は、通常、１０〜１０，０００ｍＪ／ｃｍ2 であり、５００〜２０００ｍＪ／ｃｍ2が好ましい。
【００８８】
−工程（３）−
工程（３）は、現像液、好ましくはアルカリ性の現像液を用いて現像する工程である。
アルカリ性の現像液としては、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
アルカリ性の現像液には、メタノール、エタノール等の水溶性有機溶剤や界面活性剤を適量添加することもできる。なお、現像後は、通常、水洗する。
現像方法としては、シャワー現像法、スプレー現像法、ディップ（浸漬）現像法、パドル（液盛り）現像法等を適用することができる。現像液の温度は、通常常温であり、現像は、通常１０〜３００秒程度行う。
【００８９】
−工程（４）−
工程（４）は、現像後の塗膜を加熱処理（ポストベーク）する工程である。これにより、本発明の感光性組成物の硬化物を有する光フィルターを得ることができる。
ポストベークの条件は、通常、１００〜３００℃で１〜６０分程度である。
このようにして形成された硬化膜の膜厚は、通常、０．３〜３．０μｍ、好ましくは０．７〜１．５μｍである。
【００９０】
このようにして得られた光フィルターは、以下の特性を具備することができる。
（i）波長４００ｎｍ及び７００ｎｍの光の最大透過率：好ましくは１０％以下、より好ましくは７％以下。
（ii）近赤外領域の波長８００ｎｍの光の最大透過率：好ましくは６０％以上１００％未満。
（iii）近赤外領域の波長９００ｎｍ及び１０００ｎｍの光の最大透過率：好ましくは６０％以上１００％未満、より好ましくは９０％以上１００％未満。
このように、本発明の光フィルターは、可視領域の光を十分に遮断する一方で、近赤外領域の光を十分に透過することができる。
【００９１】
光センサー
本発明の光センサーは、本発明の光フィルターを具備するものである。
光センサーとしては、テレビのリモコンや自動ドアなどの遠隔制御装置や３次元形状測定装置、自動車の車間距離検出センサーなどの車載用デバイス、ジェスチャー入力コントローラなどに用いられる距離画像センサー、ファクシミリや複写機におけるイメージセンサー、液晶ディスプレイの色監視用や簡易色検出用に用いられるカラーセンサー、赤外線検出素子など適宜の構造を採ることが可能である。
本発明の光センサーは、本発明の光フィルターを具備するため、光による誤作動を十分に防止できるという利点を有する。
【実施例】
【００９２】
以下、実施例により本発明を更に詳細に説明するが、本発明はこれら実施例により何ら限定されない。なお、以下の実施例及び比較例における「部」は特に断らない限り「質量部」の意味で用いる。
【００９３】
分散剤の合成
反応容器にテトラヒドロフラン（ＴＨＦ）５５．７ｇ、塩化リチウムのＴＨＦ溶液（４．５４質量％）４．６５ｇ、ジフェニルエチレン０．４５ｇを加え、−６０℃まで冷却した。その後、ｎ−ブチルリチウムのヘキサン溶液（１５．３６質量％）１．２２ｇを加えた。反応容器に、メタクリル酸１−エトキシエチル（ＥＥＭＡ）１．６６ｇ、ｎ−ブチルメタクリレート（ｎＢＭＡ）９．９ｇ、及びメタクリル酸メチル（ＭＭＡ）４．１４ｇの混合液を１２０分かけて滴下し、滴下後−６０℃で１５分攪拌した。反応容器中にモノマーが無くなったことを、ガスクロマトグラフィー法（ＧＣ法）で確認した。次に、反応容器にジメチルアミノエチルメタクリレート（ＤＭＭＡ）３．９６ｇを滴下し、滴下後−６０℃で３０分攪拌した。反応容器中にＤＭＭＡが無くなったことをＧＣ法で確認した後、メタノール０．４１ｇを加え、前駆体ポリマーを得た。得られた前駆体ポリマーの２５質量％濃度のプロピレングリコールモノメチルエーテルアセテート溶液６５．６４ｇ中に水１６．４４ｇを加え、１００℃で８時間加熱し、水を除去し、分散剤としてのブロック重合体〔以下、「成分（Ｆ−２）」とも称する〕のプロピレングリコールモノメチルエーテルアセテート溶液（固形分濃度５０質量％）を得た。このブロック重合体は、ＤＭＭＡ由来の繰り返し単位を有するＡブロックと、ＥＥＭＡの１−エトキシエチル基が加水分解した構造を有する繰り返し単位と、ｎＢＭＡ及びＭＭＡ由来の繰り返し単位を有するＢブロックからなるブロック共重合体であった。得られた重合体は、ポリスチレン換算の重量平均分子量が８１００、数平均分子量が６８００であり、Ｍｗ／Ｍｎが１．１９であった。
【００９４】
アルカリ可溶性重合体の合成
反応容器に、ベンジルメタクリレート１４ｇ、Ｎ−フェニルマレイミド１２ｇ、２−ヒドロキシエチルメタクリレート１５ｇ、スチレン１０ｇ 及びメタクリル酸２０ｇ をプロピレングリコールモノメチルエーテルアセテート２００ｇに溶解し、更に２，２'−アゾイソブチロニトリル３ｇ及びα−メチルスチレンダイマー５ｇ を投入した。反応容器内を窒素パージ後、攪拌及び窒素バブリングしながら８０℃で５時間加熱し、アルカリ可溶性重合体〔以下、「成分（Ｅ−１）」と称する〕を含む溶液（固形分濃度３５質量％）を得た。この重合体は、ポリスチレン換算の重量平均分子量が９７００、数平均分子量が５７００であり、Ｍｗ／Ｍｎが１．７０であった。
【００９５】
実施例１
着色剤分散液１の製造
Ｃ．Ｉ．ピグメントブラック３２〔以下、「成分（Ａ１−１）」と称する。前記式（１）において、Ｒ1及びＲ2がメトキシ基、Ｒ3及びＲ4がフェニレン基、Ｒ5及びＲ6がメチレン基である。〕を６０部、Ｃ．Ｉ．ピグメントブルー１５：６〔以下、「成分（Ａ２−１）」と称する〕を１５部、Ｃ．Ｉ．ピグメントイエロー１３９〔以下、「成分（Ａ３−１）」と称する〕を２５部、日本ルーブリゾール（株）製のソルスパース７６５００〔商品名、以下、「成分（Ｆ−１）」と称する〕を８０部（固形分濃度５０質量％）、前記成分（Ｅ−１）を含む溶液を１２０部（固形分濃度３５質量％）、プロピレングリコールモノメチルエーテルアセテート〔以下、「成分（Ｄ−１）」と称する〕を７００部、混合した。ペイントシェーカーを用いて８時間分散し、着色剤分散液１を得た。
【００９６】
実施例２、及び比較例１〜７
着色剤分散液２〜９の製造
前記「着色剤分散液１の製造」において、各成分の種類及び量を表１に示すように変更した以外は、同様の手法にて、着色剤分散液２〜９を製造した。
【００９７】
【表１】
2014130332.tif 000004
【００９８】
実施例３
感光性組成物１の製造：
前記着色剤分散液１を１０００部、ジペンタエリスリトールヘキサアクリレート〔表２の成分（Ｂ−１）〕を５０部、１，２−オクタンジオン，１−［４−（フェニルチオ）−，２−（Ｏ−ベンゾイルオキシム）］〔表２の成分（Ｃ−２）〕を１０部、プロピレングリコールモノメチルエーテルアセテート〔表２の成分（Ｄ−１）〕を１７９部、及び前記成分（Ｅ−１）を含む溶液を１７部（固形分濃度３５質量％）、混合して、感光性組成物１を製造した。
【００９９】
実施例４〜８、及び比較例８〜１４
感光性組成物２〜１３の製造：
前記実施例３において、各成分の種類及び量を表２〜３に示すように変更した以外は、同様の手法にて、感光性組成物２〜１３を製造した。
【０１００】
なお、表２、３中に記載の各成分の詳細は以下の通りである。
Ｂ−２：コハク酸変性ジペンタエリスリトールペンタアクリレート
Ｂ−３：ペンタエリスリトールトリアクリレート
Ｃ−１：２−ベンジル−２−ジメチルアミノ−１−（４−モルフォリノフェニル）−ブタノン−１
Ｃ−３：エタノン，１−［９−エチル−６−（２−メチルベンゾイル）−９Ｈ−カルバゾール−３−イル］−，１−（Ｏ−アセチルオキシム）
【０１０１】
【表２】
2014130332.tif 000005
【０１０２】
【表３】
2014130332.tif 000006
【０１０３】
感光性組成物１の評価
透過性及び遮光性
ガラス基板上に、組成物１をスピンコート法にて塗布した後、１００℃で１８０秒間加熱し、塗膜を形成した。その後、基板上の塗膜を全面露光（波長３６５ｎｍにて１０００ｍＪ／ｃｍ2の露光量）した。次いで、塗膜を、０．０５質量％テトラメチルアンモニウムハイドロオキサイドを含有する水溶液１５秒間接触させた後、塗膜を水洗した。次いで、塗膜を有するガラス基板を２００℃のホットプレートにて３００秒間加熱し、１．２３μｍの厚さの光学フィルターを有するガラスウェハーを得た。
光学フィルターを有するガラスウェハーと、分光光度計（日本分光（株）製、Ｖ−７３００）を用いて、前記光学フィルターの波長４００ｎｍ、５００ｎｍ、６００ｎｍ、７００ｎｍ、８００ｎｍ、９００ｎｍ、及び１０００ｎｍの透過率（％Ｔ）を測定し、感光性組成物１から得られる光学フィルターの透過性及び遮光性を評価した。評価結果を表４に示す。ただし表４の透過性は、ガラス基板対比での値である。
なお、膜厚は触針式段差計（ヤマト科学（株）製、アルファステップＩＱ）にて測定した。
【０１０４】
解像性
シリコンウェハー上に、感光性組成物１をスピンコート法にて塗布した後、１００℃で１８０秒間加熱し、塗膜を形成した。マスクを介して縮小投影露光（（株）ニコン製、ＮＳＲ−２００５ｉ１０Ｄ、波長３６５ｎｍにて１０００ｍＪ／ｃｍ2の露光量）にて露光した。次いで、塗膜を、０．０５質量％テトラメチルアンモニウムハイドロオキサイドを含有する水溶液にて１５秒間接触させて現像した。次いで、現像後の塗膜を有するシリコンウェハーを２００℃のホットプレートにて３００秒間加熱して、一辺３μｍの正方形のパターン化した光学フィルターを得た。
パターンの高さ、パターンの断面形状、及びパターン間の残渣の有無を電子顕微鏡にて観察し、感光性組成物１の解像性を評価した。なお、パターンの高さは、電子顕微鏡にて測定し、パターンの断面形状及びパターン間の残渣の有無は、それぞれ以下の基準にて評価した。評価結果を表４に示す。
【０１０５】
評価基準
パターンの断面形状
Ａ：矩形。
Ｂ：矩形でない。
Ｃ：パターンを形成できない。
【０１０６】
パターン間の残渣の有無
Ａ：なし。
Ｂ：あり。
【０１０７】
感光性組成物２〜１３の評価
前記「感光性組成物１の評価」と同様に、感光性組成物２〜１３の透過性、遮光性及び解像性を評価した。感光性組成物２〜８の評価結果を表４に、感光性組成物９〜１３の評価結果を表５に、ぞれぞれ示す。
【０１０８】
【表４】
2014130332.tif 000007
【０１０９】
【表５】
2014130332.tif 000008